(57)【要約】      （修正有）【課題】道路標識の設置工事の際使用する道路標識台帳と、照明灯等の設置工事際利用する道路施設電気台帳を管理し検索できる台帳管理システムに関するる。【解決手段】標識台帳と施設電気台帳を管理するコンピューター２と、本プログラムを保存した記録媒体のＣＤ−ＲＯＭ１ａ等であって、コンピューター内部の記憶装置７には従来の標識台帳等の記載事項を保存したマスタファイルと、マスタファイルを構成する標識台帳ファイルと、施設電気台帳ファイルとからなり、検索時に、記憶装置に保存した標識台帳ファイル及び施設電気台帳ファイルをディスプレイ８等に出力し、顧客情報や標識方向等で検索できる第１検索手段と第２検索手段を備え、標識台帳及び施設電気台帳の更新登録時に、メモリから出力した写真データ、画像データを一括表示できる標識台帳画像写真指定と、施設電気台帳画像写真指定の各々に貼付し、再度記憶装置に保存することを特徴とする。【選択図】  図１
2004213291.tif 000002
【特許請求の範囲】
【請求項１】
道路標識等の道路標識台帳と照明灯等の道路施設電気台帳を管理するコンピューターと、本プログラムを保存した記録媒体のＣＤ−ＲＯＭ等であって、コンピューター内部の前記記憶装置には従来の道路標識台帳等の記載事項を保存したマスタメンテナンスファイルと、マスタメンテナンスファイルを構成する道路標識台帳ファイルと、道路施設電気台帳ファイルとからなり、道路施設電気台帳及び道路標識台帳の検索時に、記憶装置に保存した前記道路標識台帳ファイル及び道路施設電気台帳ファイルの各一覧をディスプレイ等に出力し、顧客情報や標識方向等で検索できる第１検索手段と第２検索手段を備え、道路標識台帳及び道路施設電気台帳の更新登録時に、メモリから出力した写真データ、画像データを各々出力し、前記写真データ、前記画像データを一括表示できる道路標識台帳ファイルの道路標識台帳画像写真指定と、道路施設電気台帳ファイルの道路施設電気台帳画像写真指定の各々に貼付し、再度記憶装置に保存する第１貼付手段と、第２貼付手段とを備えたことを特徴とする道路標識等の台帳管理システム。
【請求項２】
第１検索手段は、本システムを構成する道路標識台帳の道路標識台帳検索の画面に、整理番号、直進、左、右の各方向で行先名称である標識方向を入力した後に、道路標識台帳のマスタメンテナンスファイルから道路標識台帳一覧を読み出しディスプレイに出力する手段であることを特徴とする請求項１に記載した道路標識等の台帳管理システム。
【請求項３】
第２検索手段は、本システムを構成する道路施設電気台帳の道路施設電気台帳検索の画面に、整理番号、契約年月日、路線名を入力した後に、道路標識台帳のマスタメンテナンスファイルから道路標識台帳一覧を読み出しディスプレイに出力する手段であることを特徴とする請求項１又は請求項２に記載した道路標識等の台帳管理システム。
【請求項４】
道路標識台帳は、顧客情報を構成し、マスタメンテナンスファイルから読み出され路線名等を記載したテキストボックスと、同マスタメンテナンスファイルから読み出し、検索項目である直進方向等を記載した標識方向と、道路標識の設置時期である標識歴や標識板の材料、寸法等を記載した標識歴等と、登録更新ボタン、板面記載事項の表面／裏面ボタンと、道路標識の現状の画像データ、写真データ等を、本発明である道路標識台帳ファイルの一部に画像データ、写真データを貼付できる貼付実行ボタンを備えたことを特徴とする請求項１、請求項２又は請求項３に記載した道路標識等の台帳管理システム。
【発明の詳細な説明】
【０００１】
【発明が属する技術分野】
本発明は、各都道府県に存在する土木事務所や警察において、道路標識の設置工事の際使用する道路標識台帳と、照明灯等の設置工事際利用する道路施設電気台帳を管理し検索できる道路標識等の台帳管理システムに関する発明である。
【０００２】
【従来の技術】
従来、道路標識等の台帳管理は、手書き作成した書類台帳であり、前記書類台帳の正面または背面に対し、道路標識や照明灯を撮影したスチール写真を糊等で１枚づつ貼付し、ファイルボックス等の事務機器に収納し管理していた。各管理台帳は、以下詳細な説明において、道路標識等の台帳は道路標識台帳といい、前記道路標識に隣接して設置した照明灯等の台帳は道路施設電気台帳という。
【０００３】
また従来の書類台帳である道路標識台帳３２、３３は、図２１及び図２２に示したように、路線名、設置箇所等を記載した路線名等３２ａと現状写真等３２ｂとからなる台帳や、設計図となる構造図等を台帳に貼付した構造図等３３ａからなり、一方の従来の道路施設電気台帳４５、４６は、図３４及び図３５に示したように、路線名、設置場所、設置工事名、敷設名（１）照明灯路等からなる路線名等４５ａと設計図等を複数枚の用紙に貼付した構造概要図４５ｂの台帳や、設置個所の地図を台帳に貼付した位置図４６ａの台帳とからなり、道路標識等の設置工事の度毎に前記現状写真等が増加するために各台帳の数は膨大な量となっていた。
【０００４】
【発明が解決しようとする課題】
しかしながら、従来の道路標識の台帳管理方法では、道路標識の設置工事や照明灯の設置工事の際、当該要する台帳の検索が容易でなく、多大な時間と手間がかかるという問題を生じていた。
【０００５】
また、従来の道路標識管理方法は、大型コンピューターを使用するものであった。よって大型コンピューター等を導入するための設備コスト等がかかり、道路標識台帳及び道路施設電気台帳に記載された全ての記載情報を、大型コンピューター等に一つ一つ入力しなければならず、その入力処理に膨大な時間がかかるために大型コンピューターによる道路標識台帳と道路施設電気台帳の管理するシステムを導入することは利用者にとって極めて難しい問題であった。
【０００６】
そこで、本発明は、急遽発生した道路標識の設置工事等の際に、道路標識台帳及び道路施設電気台帳の検索に、多大な時間と手間がかかることなく、かかる道路標識台帳及び道路施設電気台帳の管理に、大型コンピューター等を設置する設備コストや、入力処理に膨大な時間がかからず、各台帳に貼付した写真を減少すると共に、各台帳を減少させる道路標識等の台帳管理システムを提供することを目的とする。
【０００７】
【課題を解決するための手段】
そこで、本発明である道路標識の台帳管理システムは、上記の課題を解決するために、道路標識等の道路標識台帳と照明灯等の道路施設電気台帳を管理するコンピューターと、本プログラムを保存した記録媒体のＣＤ−ＲＯＭ等であって、コンピューター内部の前記記憶装置には従来の道路標識台帳等の記載事項を保存したマスタメンテナンスファイルと、マスタメンテナンスファイルを構成する道路標識台帳ファイルと、道路施設電気台帳ファイルとからなり、道路施設電気台帳及び道路標識台帳の検索時に、記憶装置に保存した前記道路標識台帳ファイル及び道路施設電気台帳ファイルの各一覧をディスプレイ等に出力し、顧客情報や標識方向等で検索できる第１検索手段と第２検索手段を備え、道路標識台帳及び道路施設電気台帳の更新登録時に、メモリから出力した写真データ、画像データを各々出力し、前記写真データ、前記画像データを一括表示できる道路標識台帳ファイルの道路標識台帳画像写真指定と、道路施設電気台帳ファイルの道路施設電気台帳画像写真指定の各々に貼付し、再度記憶装置に保存する第１貼付手段と、第２貼付手段とを備えたことを特徴とする道路標識等の台帳管理システムの構成とした。
【０００８】
【実施例】
以下添付図面に基づき、本発明である道路標識の台帳管理システムの詳細を説明する。図１は、本発明である道路標識等の台帳管理システムの構成機器を示した構成図、図２は先の構成機器の接続を示した配線図である。
【０００９】
図１及び図２に示したように、本発明である道路標識等の台帳管理システムの構成機器は、道路標識等の道路標識台帳と照明灯等の道路施設電気台帳を管理するコンピューター２と、本プログラムを保存した記録媒体のＣＤ−ＲＯＭ等１ａであって、コンピューター２内部に設けた記憶装置７は従来の道路標識台帳等の記載事項を保存したマスタメンテナンスファイル７ａと、マスタメンテナンスファイル７ａを構成する道路標識台帳ファイル７ｂと、道路施設電気台帳ファイル７ｃとからなり、道路施設電気台帳及び道路標識台帳の検索時に、記憶装置７に保存した前記道路標識台帳ファイル７ｂ及び道路施設電気台帳ファイル７ｃの各一覧をディスプレイ８等に出力し、顧客情報や標識方向等で検索できる第１検索手段と第２検索手段を備え、道路標識台帳７ｂ及び道路施設電気台帳ファイル７ｃの更新登録時に、メモリ２ｂから出力した写真データ、画像データを各々出力し、前記写真データ、前記画像データを一括表示できる道路標識台帳ファイル７ｂの道路標識台帳画像写真指定２６と、道路施設電気台帳ファイル７ｃの道路施設電気台帳画像写真指定３９の各々に貼付し、再度記憶装置に保存する第１貼付手段と、第２貼付手段とを備えたことを特徴とする道路標識等の台帳管理システムとした。
【００１０】
前記コンピュータ２の内部には、検索時に一方向の標識方向から他の標識方向を演算する中央処理装置２ａと、本システムを保存するメモリ２ｂと、入力した道路標識台帳等を保存し、前記各ファイルを記録した記憶装置７とからなる。そして、前記コンピュータ２は、入力装置として、前記道路標識台帳の文字や道路標識等の写真を写真データ等として読み込むスキャナー５と、前記写真を撮影するデジタルカメラ６と、各台帳のキーワードである路線名等の文字情報を入力するキーボード３、マウス４を接続し、使用する。
【００１１】
記憶装置７は、道路標識台帳及び道路施設電気台帳の各マスタメンテナンスファイルを構成し、顧客情報等からなるマスタメンテナンスファイル７ａと、前記マスタメンテナンスファイル７ａの一部で道路標識と道路標識を設置した路線等のデータを保存した道路標識台帳ファイル７ｂと、同マスタメンテナンスファイル７ａの一部で照明灯と照明灯を設置した路線等のデータを保存した道路施設電気台帳ファイル７ｃとからなる。なお、前記記憶装置７は、ハードディスク等の記憶媒体である。
【００１２】
スキャナー５は、従来の書類台帳である道路標識台帳及び道路施設電気台帳の文字、前記各台帳に貼付した写真、工事図面、地図等を読み込み、中央処理装置２ａで文字データ、写真データ、画像データとして変換した後に前記メモリ２ｂに保存する装置である。一方、デジタルカメラ６は、前記各台帳を構成する道路標識や照明灯等の現状写真を撮影できる機器であり、撮影した写真データを中央処理装置２ａで写真データとして変換し、メモリ２ｂに保存する。
【００１３】
なお、前記記憶装置７を構成するマスタメンテナンスファイル７ａ、道路標識台帳ファイル７ｂ、道路施設電気台帳ファイル７ｃは、出力装置として、モニタ画面に出力するディスプレイ８と、レーザープリンターから紙へ出力する印刷装置９、光磁気ディスク等に記録する外部記録媒体１０を使用する。次に、図３で、本発明の拡張システム１１について詳細を説明する。
【００１４】
図３に示した本発明の拡張システム１１は、コンピュータ等の台数を増やし、構成機器を拡張することである。図３に示したように、本発明である道路標識等の台帳管理システムは、既存のコンピューター、若しくは、既存のＤＡＴＡサーバー１２を使用することができる。前記既存のＤＡＴＡサーバー１２は、デスクトップ型のパーソナルコンピューター等である。
【００１５】
本発明をインストールした既存のＤＡＴＡサーバー１２は、インターネット通信回線１２ａを利用し、複数のデスクトップコンピューター等からなるＤＡＴＡクライアント・エントリ１４と、遠隔地から操作できるノート型コンピューター及び携帯電話からなる顧客・モバイル環境１３と接続し、外部から本発明である前記ＤＡＴＡサーバー１２のマスタメンテナンスファイル７ａ、道路標識台帳ファイル７ｂ、道路施設電気台帳ファイル７ｃにアクセスすることができる。
【００１６】
顧客モバイル環境１３は、遠隔地で現状写真を取込み、各ファイルを作成するための環境である。顧客モバイル環境１３は、ノート型コンピューター及び、現状を撮影したデジタルカメラやカメラ付き携帯等を使用し、現場で道路標識台帳や道路施設電気台帳を構成する各ファイルを作成することができる。なお、顧客モバイル環境１３を構成するノート型コンピューター等は、インターネット通信回線１２ａを使用し、ＤＡＴＡサーバー１２等の各ファイルにアクセスし、変更することができる。
【００１７】
次に、図４及び図５で、本発明を構成する道路標識台帳及び道路施設電気台帳の各処理工程について詳細を説明する。図４は道路標識台帳の各処理工程１５を示した図であり、図５は道路施設電気台帳の各処理工程１６である。
【００１８】
図４及び図５に示したように、道路標識台帳の各処理工程１５、道路施設電気台帳の各処理工程１６は、顧客情報等を予め登録するために、本システムのスタートから始め、メインメニュー１５ａ、１６ａから、マスタメンテナンスの入力手段１７で入力を始める。マスタメンテナンスの入力手段１７で入力した顧客情報は、マスタメンテナンスファイル７ａに保存する。前記マスタメンテナンスの入力手段１７は図６に示す。
【００１９】
各台帳のマスタ登録等を行った後は、道路標識台帳一覧表示１５ｂと、道路施設電気台帳一覧表示１６ｂとなる。前記道路標識台帳一覧表示１５ｂ、道路施設電気台帳一覧表示１６ｂは、マスタメンテナンスの入力手段１７が終了した後の道路標識や照明灯等設置工事に伴い道路標識台帳及び道路施設電気台帳の検索や更新登録を行う際に表示する画面である。
【００２０】
そして、前記各一覧を表示した後は、図７及び図８に示したように、Ｂ：道路標識台帳の入力手段１８、Ｃ：道路標識台帳の入力手段１９となる。前記道路標識台帳の入力手段１８、道路施設電気台帳の入力手段１９が終了した後は、本発明の特徴である検索処理画面表示１５ｃ、１６ｃを行うことができる。前記検索処理画面表示１５ｃ、１６ｃは図１１、図２４に示す。
【００２１】
なお、前記図４及び図５に示したように、メインメニュー１５ａ、１６ａを表示した後は、検索処理工程１５ｄ、１６ｄ、印刷処理工程１５ｅ、１６ｅ、表示処理工程１５ｆ、１６ｆ、データ削除工程１５ｇ、１６ｇ、新規登録工程１５ｈ、１６ｈ、データ修正工程１５ｉ、１６ｉ、終了１５ｊ、１６ｊの各工程を速やかに行うことができる。
【００２２】
次に、図６で道路標識等の設置工事を行う前、即ち、顧客情報等を登録する前に行う前記マスタメンテナンスの入力手段１７を説明する。そして図７及び図８で、顧客情報等を登録した後、即ち、道路標識等の設置工事を行った後の更新に伴う道路標識台帳の入力手段１８、道路標識台帳の入力手段１９を説明する。
【００２３】
図６は、本発明を構成する道路標識台帳ファイル７ｂと道路施設電気台帳ファイル７ｃを構成するＡ：マスタメンテナンスの入力手段１７である。前記Ａ：マスタメンテナンスの入力手段１７は、路線名、設置個所、標識方向、灯具の形式等をマスタメンテナンスファイル７ａへ保存する手段である。
【００２４】
Ａ：マスタメンテナンスの入力手段１７の構成は、メインメニュー１７ａと、前記メインメニュー１７ａの画面からマスタメンテナンスを選択した後に表示するマスタメンテナンス画面表示１７ｂと、マスタメンテナンス画面表示１７ｂを行った後に表示する道路標識台帳ファイル７ｂと、道路施設電気台帳ファイル７ｃを構成する道路標識台帳又は道路施設電気台帳を選択、表示１７ｃとからなる。
【００２５】
前記メインメニュー１８ａ、１９ａの画面は、図９に示したメインメニュー２０である。そして前記メインメニュー２０は、道路標識台帳一覧／入力２０ａ、道路施設電気台帳  一覧／入力２０ｂ、マスタメンテナンス２０ｃ、終了２０ｄとからなることを特徴とする。そして、前記マスタメンテナンス画面表示１７ｂは、図３６に示したマスタメンテナンス４７画面を表示することである。前記マスタメンテナンス４７画面の詳細は図３６で説明する。
【００２６】
次に、図６に示したように、道路標識台帳又は道路施設電気台帳を選択、表示１７ｃした後に、道路標識台帳の場合１７ｄと、道路施設電気台帳の場合１７ｇの各マスタメンテナンスを行うことができる。
【００２７】
図６に示した前記道路標識台帳の場合１７ｄは、国道などの路線等である路線名の入力（新規登録・編集）１７ｅと、標識方向等の入力（新規登録・編集）１７ｆを行うことができる。
【００２８】
一方、図６に示した前記道路標識台帳の場合１７ｇは、前記道路標識台帳と同様に、国道などの路線等である路線名の入力（新規登録・編集）１７ｈと、前記国道に隣接し設置した灯具の形式等の入力（新規登録・編集）１７ｉを行うことができる。
【００２９】
よって、本発明である道路標識等の台帳管理システムでは、道路標識台帳の場合１７ｄ、道路施設電気台帳の場合１７ｇのマスタメンテナンスを経て、終了１７ｊとなり、本発明を構成するマスタメンテナンスファイル７ａに保存しＡ：マスタメンテナンスの入力手段１７を終了できる。次に、図７でＢ：道路標識台帳の入力手段１８、図８でＣ：路敷設電気台帳の入力手段１９を説明する。
【００３０】
図７に示した道路標識台帳の入力手段１８は、メモリ２ｂから出力したメインメニュー１８ａ画面表示と、メインメニュー１８ａ画面表示の中に記載した道路標識台帳を選択することができる道路標識台帳一覧表示１８ｂと、本システムの道路標識台帳に新たに写真データ等を追加するために前記道路標識台帳一覧表示１８ｂの下部に示した新規登録／データ修正ボタンを押す１８ｃと、道路標識台帳画面を表示１８ｄとからなり、前記道路標識台帳画面を表示１８ｄにおいて、道路標識の写真データ、画像データと文字データを読み込む板面記載事項の表面／裏面の表示１８ｅと、写真データ、画像データを貼付する貼付実行ボタンを押す１８ｆとからなり、メモリ２ｂからフレームで前記写真データ等を一括表示できる道路標識台帳の画像データ・写真データ指定を開く１８ｇと、参照ボタンを押しイメージファイルである画像データ、写真データを取り込む１８ｈと、前記道路標識台帳画像写真指定に貼付し、道路標識台帳の道路標識台帳の登録／更新ボタンを押す１８ｉと、終了１８ｊする。そして道路標識台帳ファイル７ｂに保存することを特徴とする。
【００３１】
一方、図８に示した道路施設電気台帳の入力手段１９は、メモリ２ｂから出力したメインメニュー１９ａ画面表示と、メインメニュー１９ａ画面表示の中に記載した道路施設電気台帳を選択する道路施設電気台帳一覧表示１９ｂと、本システムの道路施設電気台帳に新たに写真データ等を追加するために前記道路施設電気台帳一覧表示１９ｂの下部に示した新規登録／データ修正ボタンを押す１９ｃと、道路施設電気台帳画面の表示１９ｄとからなり、前記道路施設電気台帳画面の表示１９ｄにおいて、道路情報等の入力である敷設型の規格入力画面の表示１９ｅと、貼付実行ボタンを押す１９ｆとからなり、メモリ２ｂからフレームで前記写真データ等を一括表示できる道路施設電気台帳画像写真指定を開く１９ｇと、参照ボタンを押しイメージファイルである画像データ、写真データを取り込む１９ｈと、前記道路施設電気台帳画像、写真指定に貼付し、道路施設電気台帳の登録／更新ボタンを押す１９ｉと、終了１９ｊする。そして道路施設電気台帳ファイル７ｃに保存することを特徴とする。
【００３２】
次に、図１０から図２０で本発明である道路標識等の台帳管理システムの道路標識台帳で行うことができる第１検索手段及び第１貼付手段と、各画面である道路標識台帳一覧２１、道路標識台帳検索２２、道路標識台帳２３、道路標識台帳入力２４、道路標識台帳−板面記載事項２５、道路標識台帳画像写真指定２６説明する。
【００３３】
第１検索手段とは、本システムを構成する道路標識台帳の道路標識台帳検索の画面に、整理番号、直進、左、右の各方向で行先名称である標識方向を一部入力し、１方向の標識方向を入力することで、道路標識の板面に記載した他の２方向の行先名称を中央処理装置２ａで演算した後に、道路標識台帳のマスタメンテナンスファイル７ａから最適な道路標識台帳一覧２１を読み出しディスプレイ８に出力する手段である。
【００３４】
第１貼付手段とは、本システムを構成する道路標識台帳のマスタメンテナンスファイル７ａから、顧客情報をもとに道路標識台帳一覧２１を読み出し、新規登録  データ修正ボタン２１ｆのいずれかを押すことで、道路標識台帳入力２４を読み出し、前記道路標識台帳入力２４の画像・写真貼付である貼付実行ボタンを押し、前記写真データ等を一括表示できる道路標識台帳画像写真指定２６を読み出すと同時に、メモリ２ｂに保存した道路標識等の写真データ、画像データを読み出し、前記道路標識台帳画像写真指定２６に、前記道路標識等の写真データ等を貼付し、道路標識台帳ファイル７ｂに保存し、必要に応じてディスプレイ８に出力できる手段である。
【００３５】
図１０に示したように道路標識台帳一覧２１とは、本発明における道路標識台帳のインデックスである。道路標識台帳一覧２１の構成は、本システムを使用する使用者２１ａ、整理番号等からなる各項目２１ｂ、各ボタン２１ｃとからなる。また、前記各項目２１ｂは、整理番号、路線名、設置場所、設置工事名、工事番号、標識種別、標識番号、標識歴（年／月）とからなる。
【００３６】
次に図２１の中部に示した各項目２１ｂの詳細を説明する。前記整理番号とは、道路標識毎に管理するための番号、前記路線名とは、道路標識を取り付けた一般国道○○号のように路線の名称、設置場所とは、路線上の住所、設置工事名とは任意の名称、工事番号とは任意の数字、標識種別とは、１：案内のような種別、標識番号とは、任意の数字、前記標識歴とは、工事契約が締結した西暦及び日付である。
【００３７】
そして、各ボタン２１ｃは、検索、表示、印刷、データ削除、新規登録、データ修正、終了ボタンからなる。本発明の特徴で道路標識台帳の検索は、検索ボタン２１ｄを押すことから始め、前記検索ボタン２１ｄで検索した後、表示ボタン２１ｅを押すことで、当該道路標識台帳をディスプレイ８等に表示し、印刷することができる。また、道路標識台帳を新たに新規登録、データを修正する場合、前記新規登録、データ修正ボタン２１ｆを使用する。次に前記検索ボタン２１ｄを押して表示した道路標識台帳検索２２の画面を説明する。
【００３８】
図１１に示した道路標識台帳検索２２の画面は、整理番号２２ａ、標識歴（年／月）２２ｂと、路線名２２ｃと、標識方向２２ｄとからなることを特徴とする。本発明では、従来のように手書きの書類にはない、道路標識に記載した標識方向２２ｄを選択することで容易に検索できることを特徴とする。
【００３９】
前記標識方向２２ｄとは、直進方向、左方向、右方向等のそれぞれにおける行先名称である。具体的には、直進方向、左方向、右方向に対し、行先名称、即ち、直進方向：つくば（市）のように各方向に付属したコンボボックスの中から行先名称を自由に選択することができると共に、行先名称から所望する道路標識台帳を検索することができることを特徴とする。
【００４０】
なお、前記図１０の下部に示した表示ボタン２１ｅは、図１２に示した書類である前記道路標識台帳２３の拡大図をディスプレイ８等に表示できる。次に、図１３で前記検索画面に基づいて表示した道路標識台帳を説明する。
【００４１】
図１３に示した道路標識台帳入力２４は、顧客情報を構成し、マスタメンテナンスファイル７ａから読み出した路線名等を記載したテキストボックス２４ａと、同マスタメンテナンスファイル７ａから読み出し、検索項目である直進方向等を記載した標識方向２４ｂと、道路標識の設置時期である標識歴や標識板の材料、寸法等を記載した標識歴等２４ｃと、登録更新ボタン２４ｄ、板面記載事項の表面／裏面ボタン２４ｅと、道路標識の現状の画像データ、写真データ等を、本発明である道路標識台帳ファイルの一部に画像データ、写真データを貼付できる貼付実行ボタン２４ｆとからなる事を特徴とする。
【００４２】
図１３に示した前記テキストボックス２４ａ及び標識方向２４ｂは、図６に示したマスタメンテナンスの入力手段１７で入力した項目である。なお、標識歴等２４ｃに記載した材料、寸法等は、本道路標識台帳入力２４で変更することができる。
【００４３】
よって図１３に示したように本発明を構成する道路標識台帳入力２４は、利用者が道路標識台帳の検索を行った後に、前記テキストボックス２４ａ、標識方向２４ｂの空白に、マスタメンテナンスファイル７ａから顧客情報、標識方向の文字を自動的に出力し、必要に応じて、標識歴等２４ｃである年月等を選択若しくは追加記入によって変更できるため、入力時の手間を省くことができる。次に、道路標識台帳−板面記載事項２５について説明する。
【００４４】
図１４に示したのは道路標識台帳  板面記載事項２５である。道路標識台帳  板面記載事項２５は、道路標識の画像データである表面２５ａと、裏面２５ｂとからなり、進行方向の文字情報のみならず、国道を示す数字等を記載した略ハート形等の形状を記録保存するためのファイルである。
【００４５】
そして、新たな道路標識台帳の改修工事に伴い、画像データ、写真データを追加貼付する場合、図１３の右部で、道路標識台帳  板面記載事項２４ｅの下部に示した貼付実行ボタン２４ｆを押し、写真を貼付するために図１５の道路標識台帳画像写真指定２６を表示する。
【００４６】
図１５に示した道路標識台帳画像写真指定２６は、現状写真２７等のフレームで、前記写真データ等を一括表示できる画面である。図１５の道路標識台帳  画像写真指定２６に示したように、左から順に、現状写真２７、設置箇所略図（横断）２８、構造図２９、材料表３０、平面図３１とからなる。以下、図１６から図２０の添付図面に基づいて、現状写真２７、設置箇所略図（横断）２８、構造図２９、材料表３０、平面図３１の詳細を説明する。
【００４７】
図１６に示した現状写真２７とは、デジタルカメラ６等で、前記道路標識の正面及び周辺状況を撮影した写真データである。現状写真２７の下部に示したように、クリアボタン、参照ボタンで、本システムをインストールしたコンピューター２のメモリ２ｂから前記写真データを読み込み、前記道路標識台帳  画像写真指定２６の現状写真２７に保存する仕組みである。以下、図１７から図２０に示したクリアボタン、参照ボタンは同様の仕組みとする。また図１７から図２０に示した図は、道路標識台帳に貼付した写真等の画像データである。
【００４８】
図１７に示した前記設置箇所略図（横断）２８は、横断歩道の幅や、道路幅の長さなどを示した正面図の画像データ、図１８に示した構造図２９は、道路標識を設置するための支柱の全長、標識の長さ等を示した構造図２９の画像データ、図１９に示した材料表３０は、構造図２９を構成し道路標識を支える支柱の、種別、断面寸法、１個分重量等を示した材料表の画像データ、図２０は地図を示した平面図３１の画像データである。
【００４９】
よって本発明では、道路標識台帳に貼付した現状写真及び画像データを全てスキャナー５で読み込み、コンピューター２のメモリ２ｂに一端保存し、道路標識台帳  画像写真指定２６の必要に応じてメモリ２ｂから読み出し、映像写真を貼付した後に、道路標識台帳ファイル７ｂ内の前記道路標識台帳  画像写真指定２６へ保存する仕組みである。
【００５０】
次に、図２３から図３５で本発明である道路標識等の台帳管理システムの道路施設電気台帳で行うことができる第２検索手段及び第２貼付手段と、各画面である道路施設電気台帳一覧３４、道路施設電気台帳検索３５、道路標識台帳３６、道路施設電気台帳入力３７を説明する。
【００５１】
第２検索手段とは、本システムを構成する道路施設電気台帳の道路施設電気台帳検索の画面に、整理番号、契約年月日、路線名を入力し、中央処理装置２ａで整理番号等を演算した後に、道路標識台帳のマスタメンテナンスファイル７ａから最適な道路標識台帳一覧２１を読み出し、ディスプレイ８に出力する手段である。
【００５２】
第２貼付手段とは、本システムを構成する道路施設電気台帳のマスタメンテナンスファイル７ａから、顧客情報をもとに道路施設電気台帳一覧３４を読み出し、新規登録  データ修正ボタン３４ｄのいずれかを押すことで、道路施設電気台帳入力３７を読み出し、前記道路施設電気台帳入力３７の画像・写真貼付である貼付実行ボタン３７ｅを押し、道路施設電気台帳画像写真指定３９を読み出すと同時に、メモリ２ｂに保存した照明灯等の写真データ、画像データを読み出し、前記道路施設電気台帳画像写真指定３９に、前記照明灯等の写真データ等を貼付し、道路施設電気台帳ファイル７ｃに保存し、必要に応じてディスプレイ８に出力できる手段である。
【００５３】
図２３に示したように道路施設電気台帳一覧３４は、道路施設電気台帳のインデックスである。道路施設電気台帳一覧３４の構成は、検索項目である整理番号、契約年月日、路線名、設置場所、設置工事名、請負業者名を記載した各項目３４ａと、検索ボタン、表示ボタン、印刷、データ削除、新規登録、データ修正、終了の各ボタンを構成する各ボタン３４ｂとからなる。
【００５４】
そして、図２３に示した道路施設電気台帳一覧３４の各ボタン３４ｂを構成する検索ボタン３４ｃを押すことで、図２４の道路施設電気台帳の検索となる。また新規登録、データ修正ボタン３４ｄのいずれかを押すことで図２６に示した道路施設電気台帳３７となる。
【００５５】
図２４に示した道路施設電気台帳検索３５とは、前記道路標識台帳と異なった数字である整理番号３５ａと、西暦で表示した月日の契約年月日３５ｂと、路線名３５ｃとからなることを特徴とする道路施設電気台帳の検索画面である。
【００５６】
そして、図２４の下部の中央に示したように検索実行ボタン３５ｄを押すと、道路施設電気台帳ファイル７ｃから読み取り、前記図２３に示した道路施設電気台帳一覧３４に表示する仕組みである。なお、図２５に示した道路標識台帳３６は、書類である道路施設電気台帳の一部の拡大図である。次に、図２６に示した道路施設電気台帳入力３７を説明する。
【００５７】
図２６に示したように道路施設電気台帳入力３７は、左部に顧客情報を構成
し、マスタメンテナンスファイル７ａから読み出し、整理番号等からなるテキストボックス３７ａと、テキストボックスの下部に照明灯の設置方式等を記載した施設（１）３７ｂと、右部に登録・更新等ボタン３７ｃと、施設（２）のその他：道路情報板Ａ等と称した規格入力等ボタン３７ｄと、照明灯等の画像、写真データを貼付するための貼付実行ボタン３７ｅとからなる事を特徴とする道路施設電気台帳である。
【００５８】
前記テキストボックス３７ａは、整理番号、路線名、設置箇所、設置工事名、請負業者名、粁程、道路幅員、上下線別、契約（設置）年月、お客様番号、電力会社、契約種別等を記載し、マスタメンテナンスの道路施設電気台帳からなる。
【００５９】
施設（１）３７ｂは、照明灯の設置方式、照明施設名、照明方式、灯具形式、ランプの形式、安定器の種類、点滅器の種類、調光の有無、ポール形式、ポールの材質、設置状況等からなる。前記テキストボックス３７ａ又は、施設（１）３７ｂ等は選択若しくは追加記入によって変更できるため、入力時の手間を省くことができる。次に、前記規格入力等ボタン３７ｄと、貼付実行ボタン３７ｅを押す場合について、図２７及び図２８で説明する。
【００６０】
図２７に示した道路施設電気台帳  施設形式の規格入力（照明灯以外）３８は前記図２６に示した規格入力ボタン３７ｄを押した場合に表示する画面である。前記規格入力とは、文字情報である。前記文字情報とは、「照明灯以外の場合、その施設形式等の規格を記載する。」等のように注意事項を記載することである。
【００６１】
そして、新たな照明灯の改修工事に伴い、画像データ、写真データを追加貼付する場合、図２６の右下部に示した「貼付実行ボタン」３７ｅを押し、写真を貼付するための道路施設電気台帳画像写真指定３９を表示する。
【００６２】
図２８に示した道路施設電気台帳  画像写真指定３９は、構造概要図（見取図）等のフレームで、前記写真データ等を一括表示できる画面である。図２８の道路施設電気台帳  画像写真指定３９に示したように、左から順に、構造概要図（見取図）４０、設置略図（横断）４１、現状写真４２、位置図その１（１／５０，０００程度）４３、位置図その２（道路台帳１／５００または１／１，０００）４４とからなる。
【００６３】
以下、図２９から図３３の添付図面に基づいて、構造概要図（見取図）４０、設置略図（横断）４１、現状写真４２、位置図その１（１／５０，０００程度）４３、位置図その２（道路台帳１／５００または１／１，０００）４４の詳細を説明する。
【００６４】
図２９に示したのは照明灯の設置状況を示した構造概要図（見取図）４０の画像データ、図３０に示したのは、路肩や、道路幅を示した設置略図（横断）４１の画像データ、図３１に示したのは、照明灯の設置状況を示した現状写真４２で、前記現状写真４２は、デジタルカメラ６等で、前記道路標識の正面及び周辺状況を撮影した写真データである。
【００６５】
そして本発明の特徴は、図３２に示した１／５０，０００程度の尺度で照明灯等の設置場所を示した位置図その１（１／５０，０００）４３と、図３３に示した１／５００又は１／１，０００の尺度で照明灯等の設置場所を示した位置図その２（１／５００又は１／１，０００）４４で地図を画像データとしたことである。
【００６６】
よって本発明では、道路施設電気台帳に記載された文字データや貼付した現状写真等を画像データとしてスキャナー５で読み込むとともに、コンピューター２のメモリ２ｂに一端保存し、道路施設電気台帳  画像写真指定３９に応じて前記メモリ２ｂから写真データ、画像データを読み出し、各映像写真を貼付した後に、道路施設電気台帳ファイル７ｃ内の前記道路施設電気台帳  画像写真指定３９へ随時保存できる。
【００６７】
なお、図２９から図３３の下部に示したクリアボタン、参照ボタンは、図１５等で説明したクリアボタン、参照ボタンと同様とする。次に図３６で本発明を構成し、マスタメンテナンスファイル７ａ等を作成する前記マスタメンテナンス４７画面の詳細を説明する。
【００６８】
図３６に示したのは、マスタメンテナンス４７画面である。前記マスタメンテナンス４７画面は、複数の項目を設けた道路標識台帳４７ａと道路施設電気台帳４７ｂとからなる。
【００６９】
前記道路標識台帳４７ａを構成する複数の項目は、路線名、設置場所等、上下線別、電力会社、灯具の形式、ランプの形式、安定器の種類、点滅器の種類、ポール形式、電源方式からなる。一方の前記道路施設電気台帳４７ｂを構成する複数の項目は、路線名、設置箇所、標識方向、標識種別、標識番号、拡大率、標識板、支柱、基礎形式、システム使用者等からなる。
【００７０】
図３７に示したのは、道路標識台帳  路線マスタメンテナンス４８である。道路標識台帳  路線マスタメンテナンス４８は、路線名の「新規登録」４８ａと、既に新規登録済みの路線名の変更である「編集」４８ｂと、道路標識台帳の路線名４８ｃとからなる。
【００７１】
図３８に示したのは、本システムで図１１に示した道路標識台帳検索２２の時に必要となる標識方向マスタメンテナンス４９画面である。図３８に示したように、標識方向マスタメンテナンス４９は、左部に示した標識方向（直進）４９ａ、標識方向（左）４９ｂ、標識方向（右）４９ｃと、右部に示した「新規登録」４９ｄ、「編集」４９ｅとからなる。
【００７２】
前記標識方向マスタメンテナンス４９画面で「新規登録」を行うためには、右部の「新規登録」４９ｄボタンを押し、標識方向である地名を「ひらがな、漢字問わず」入力する。次に、入力が完了した後に左部の標識方向（直進）４９ａ、標識方向（左）４９ｂ、標識方向（右）４９ｃに表示することができる。
【００７３】
そして本発明では、図３８に示したように、道路標識台帳  標識方向マスタメンテナンスの右中部に示した「編集」４９ｅを行う場合、最初に入力した標識方向に合わせて、相対する標識方向の候補をマスタメンテナンスファイル７ａ等から複数呼び出すことができることを特徴とする。
【００７４】
なお、図３９に示したように、図３６から図３８に示した各マスタメンテナンスを行う際、使用者であるシステム使用者登録５０を行うことができる。
【００７５】
【発明の効果】
本発明は、以上に説明したような構成であるから以下の効果が得られる。
第１に、本発明である道路標識等の台帳管理システムは、道路標識の設置工事や照明灯の設置工事の際、膨大な書類からなる道路標識台帳、道路施設電気台帳を１冊、１冊検索をすることがないため、検索に多大な時間と手間がかからない。
【００７６】
第２に、本発明である道路標識等の台帳管理システムは、大型コンピューターを使用することがないため、道路標識台帳及び道路施設電気台帳に記載された全ての記載情報を、大型コンピューター等に一つ一つ入力することなく、その入力処理に膨大な時間がかからないため、極めて簡単にコンピューターに導入することができる。
【００７７】
第３に、本発明である道路標識等の台帳管理システムは、大型コンピューター等の導入を要することなく、コンピューターのディスプレイに表示した道路標識台帳一覧の検索ボタンを押すことで、当該表示した道路標識台帳検索画面から整理番号、標識歴（年／月）、路線名又は、標識方向のいずれかを入力し、従来の書類で作成した道路標識台帳を瞬時に表示し、必要に応じてプリンター等で当該道路標識台帳を出力することができる。
【００７８】
第４に、本発明である道路標識等の台帳管理システムは、更新の際の設置工事写真を減らすと共に、前記写真を貼付した書類である道路標識台帳及び道路施設電気台帳の台帳の数を大幅に減らすことができる。
【図面の簡単な説明】
【図１】本発明である道路標識等の台帳管理システムの構成機器を示した構成図である。
【図２】本発明である道路標識等の台帳管理システムの構成機器の接続を示した配線図である。
【図３】本発明である道路標識等の台帳管理システムの構成機器を拡張した拡張図である。
【図４】本発明である道路標識等の台帳管理システムを構成する道路標識台帳の各処理工程を示した処理工程図である。
【図５】本発明である道路標識等の台帳管理システムを構成する道路施設電気台帳の各処理工程を示した処理工程図である。
【図６】本発明である道路標識等の台帳管理システムを構成するマスタメンテナンスの入力手段を示したフローチャートである。
【図７】本発明である道路標識等の台帳管理システムを構成する道路標識台帳の入力手段を示したフローチャートである。
【図８】本発明である道路標識等の台帳管理システムを構成する道路施設電気台帳の入力手段を示したフローチャートである。
【図９】本発明である道路標識等の台帳管理システムを構成するメインメニューを示した画面である。
【図１０】本発明である道路標識等の台帳管理システムを構成する道路標識台帳一覧を示した画面である。
【図１１】本発明である道路標識等の台帳管理システムを構成する道路標識台帳検索を示した画面である。
【図１２】本発明である道路標識等の台帳管理システムを構成する道路標識台帳を示した拡大画面である。
【図１３】本発明である道路標識等の台帳管理システムを構成する道路標識台帳入力を示した画面である。
【図１４】本発明である道路標識等の台帳管理システムを構成する道路標識台帳の板面記載事項を示した画面である。
【図１５】本発明である道路標識等の台帳管理システムを構成する道標識台帳の画像データ、写真データ指定を示した画面である。
【図１６】本発明である道路標識等の台帳管理システムを構成する道路標識台帳の現状写真を示した画面である。
【図１７】本発明である道路標識等の台帳管理システムを構成する道路標識台帳の設置箇所略図（横断）である。
【図１８】本発明である道路標識等の台帳管理システムを構成する道路標識台帳の構造図である。
【図１９】本発明である道路標識等の台帳管理システムを構成する道路標識台帳で道路標識の支柱の材料を示した材料表画面である。
【図２０】本発明である道路標識等の台帳管理システムを構成する道路標識台帳で道路標識を設置箇所を示した平面図である。
【図２１】従来の道路標識台帳（表面）である。
【図２２】従来の道路標識台帳（裏面）である。
【図２３】本発明である道路標識等の台帳管理システムを構成する道路施設電気台帳一覧を示した画面である。
【図２４】本発明である道路標識等の台帳管理システムを構成する道路施設電気台帳検索を示した画面である。
【図２５】本発明である道路標識等の台帳管理システムを構成する道路施設電気台帳を示した拡大画面である。
【図２６】本発明である道路標識等の台帳管理システムを構成する道路施設電気台帳を示した画面である。
【図２７】本発明である道路標識等の台帳管理システムを構成する道路施設電気台帳の施設形式の規格入力（照明灯以外）を示した画面である。
【図２８】本発明である道路標識等の台帳管理システムを構成する道路施設電気台帳の画像データ、写真データ指定を示した画面である。
【図２９】本発明である道路標識等の台帳管理システムを構成する道路施設電気台帳の構造概要図（見取図）である。
【図３０】本発明である道路標識等の台帳管理システムを構成する道路施設電気台帳の設置略図（横断）である。
【図３１】本発明である道路標識等の台帳管理システムを構成する道路施設電気台帳の現状写真図である。
【図３２】本発明である道路標識等の台帳管理システムを構成する道路施設電気台帳の位置図その１（１／５０，０００程度）を示した画面である。
【図３３】本発明である道路標識等の台帳管理システムを構成する道路施設電気台帳の位置図その２（道路台帳１／５００または１／１，０００）を示した画面である。
【図３４】従来の道路施設電気台帳（表面）である。
【図３５】従来の道路施設電気台帳（裏面）である。
【図３６】本発明である道路標識等の台帳管理システムを構成するマスタメンテナンスを示した画面である。
【図３７】本発明である道路標識等の台帳管理システムを構成する道路標識台帳の路線マスタメンテナンスを示した画面である。
【図３８】本発明である道路標識等の台帳管理システムを構成する道路標識台帳の標識方向マスタメンテナンスを示した画面である。
【図３９】本発明である道路標識等の台帳管理システムを構成するマスタメンテナンスのシステム使用者登録を示した画面である。
【符号の説明】
１      道路標識の台帳管理システム
１ａ    ＣＤ−ＲＯＭ等
２      コンピューター
２ａ    中央処理装置
２ｂ    メモリ
３      キーボード
４      マウス
５      スキャナー
６      デジタルカメラ
７      記憶装置
７ａ    マスタメンテナンスファイル
７ｂ    道路標識台帳ファイル
７ｃ    道路施設電気台帳ファイル
８      ディスプレイ
９      印刷装置
１０    外部記録媒体
１１    本発明の拡張システム
１２    ＤＡＴＡサーバー
１２ａ  インターネット通信回線
１３    顧客・モバイル環境
１４    ＤＡＴＡクライアント・エントリー
１５    道路標識台帳の各処理工程
１５ａ  メインメニュー
１５ｂ  道路標識台帳一覧表示
１５ｃ  検索処理画面表示
１５ｄ  検索処理工程
１５ｅ  印刷処理工程
１５ｆ  表示処理工程
１５ｇ  データ削除工程
１５ｈ  新規登録工程
１５ｉ  データ修正工程
１５ｊ  終了
１６    道路施設電気台帳の各処理工程
１６ａ  メインメニュー
１６ｂ  道路施設電気台帳一覧表示
１６ｃ  検索処理画面表示
１６ｄ  検索処理工程
１６ｅ  印刷処理工程
１６ｆ  表示処理工程
１６ｇ  データ削除工程
１６ｈ  新規登録工程
１６ｉ  データ修正工程
１６ｊ  終了
１７    マスタメンテナンスの入力手段
１７ａ  メインメニュー
１７ｂ  マスタメンテナンス画面表示
１７ｃ  道路標識台帳又は道路施設電気台帳を選択、表示
１７ｄ  道路標識台帳の場合
１７ｅ  路線名の入力（新規登録・編集）
１７ｆ  標識方向等の入力（新規登録・編集）
１７ｇ  道路施設電気台帳の場合
１７ｈ  路線名の入力（新規登録・編集）
１７ｉ  灯具の形式等の入力（新規登録・編集）
１７ｊ  終了
１８    道路標識台帳の入力手段
１８ａ  メインメニュー
１８ｂ  道路標識台帳一覧表示
１８ｃ  新規登録／データ修正ボタンを押す
１８ｄ  道路標識台帳画面を表示
１８ｅ  板面記載事項の表面／裏面の表示
１８ｆ  貼付実行ボタンを押す
１８ｇ  道路標識台帳の画像データ、写真データ指定を開く
１８ｈ  参照ボタンを押しイメージファイルである画像データ、写真データ
を取り込む
１８ｉ  道路標識台帳の登録／更新ボタンを押す
１８ｊ  終了
１９    道路施設電気台帳の入力手段
１９ａ  メインメニュー
１９ｂ  道路標識台帳一覧表示
１９ｃ  新規登録／データ修正ボタンを押す
１９ｄ  道路施設電気台帳画面の表示
１９ｅ  敷設型の規格入力画面の表示
１９ｆ  貼付実行ボタンを押す
１９ｇ  道路施設電気台帳の画像データ、写真データ指定を開く
１９ｈ  参照ボタンを押しイメージファイルである画像データ、写真データ
を取り込む
１９ｉ  道路施設電気台帳の登録／更新ボタンを押す
１９ｊ  終了
２０    メインメニュー
２０ａ  道路標識台帳  一覧／入力
２０ｂ  道路施設電気台帳  一覧／入力
２０ｃ  マスタメンテナンス
２０ｄ  終了
２１    道路標識台帳一覧
２１ａ  使用者
２１ｂ  各項目
２１ｃ  各ボタン
２１ｄ  検索ボタン
２１ｅ  表示ボタン
２１ｆ  新規登録、データ修正ボタン
２２    道路標識台帳検索
２２ａ  整理番号
２２ｂ  標識歴（年／月）
２２ｃ  路線名
２２ｄ  標識方向
２３    道路標識台帳
２４    道路標識台帳入力
２４ａ  テキストボックス
２４ｂ  標識方向
２４ｃ  標識歴等
２４ｄ  登録・更新等ボタン
２４ｅ  表面／裏面ボタン
２４ｆ  貼付実行ボタン
２５    道路標識台帳  板面記載事項
２５ａ  表面
２５ｂ  裏面
２６    道路標識台帳画像写真指定
２７    現状写真
２８    設置箇所略図（横断）
２９    構造図
３０    材料表
３１    平面図
３２    道路標識台帳
３２ａ  路線名等
３２ｂ  現状写真等
３３    道路標識台帳
３３ａ  構造図等
３４    道路施設電気台帳一覧
３４ａ  各項目
３４ｂ  各ボタン
３４ｃ  検索ボタン
３４ｄ  新規登録、データ修正ボタン
３５    道路施設電気台帳検索
３５ａ  整理番号
３５ｂ  契約年月日
３５ｃ  路線名
３５ｄ  検索実行
３６    道路施設電気台帳
３７    道路施設電気台帳入力
３７ａ  テキストボックス
３７ｂ  施設（１）
３７ｃ  登録・更新等ボタン
３７ｄ  規格入力等ボタン
３７ｅ  貼付実行ボタン
３８    道路施設電気台帳  施設形式の規格入力（照明灯以外）
３９    道路施設電気台帳画像写真指定
４０    構造概要図（見取図）
４１    設置略図（横断）
４２    現状写真
４３    位置図その１（１／５０，０００程度）
４４    位置図その２（道路台帳１／５００または１／１，０００）
４５    道路施設電気台帳
４５ａ  路線名等
４５ｂ  構造概要図
４６    道路施設電気台帳
４６ａ  位置図等
４７    マスタメンテナンス
４７ａ  道路標識台帳
４７ｂ  道路施設電気台帳
４８    道路標識台帳  路線マスタメンテナンス
４８ａ  新規登録
４８ｂ  編集
４８ｃ  路線名
４９    標識方向マスタメンテナンス
４９ａ  標識方向（直進）
４９ｂ  標識方向（左）
４９ｃ  標識方向（右）
４９ｄ  新規登録
４９ｅ  編集
５０    システム使用者登録
【図１】
2004213291.tif 000003
【図２】
2004213291.tif 000004
【図３】
2004213291.tif 000005
【図４】
2004213291.tif 000006
【図５】
2004213291.tif 000007
【図６】
2004213291.tif 000008
【図７】
2004213291.tif 000009
【図８】
2004213291.tif 000010
【図９】
2004213291.tif 000011
【図１０】
2004213291.tif 000012
【図１１】
2004213291.tif 000013
【図１２】
2004213291.tif 000014
【図１３】
2004213291.tif 000015
【図１４】
2004213291.tif 000016
【図１５】
2004213291.tif 000017
【図１６】
2004213291.tif 000018
【図１７】
2004213291.tif 000019
【図１８】
2004213291.tif 000020
【図１９】
2004213291.tif 000021
【図２０】
2004213291.tif 000022
【図２１】
2004213291.tif 000023
【図２２】
2004213291.tif 000024
【図２３】
2004213291.tif 000025
【図２４】
2004213291.tif 000026
【図２５】
2004213291.tif 000027
【図２６】
2004213291.tif 000028
【図２７】
2004213291.tif 000029
【図２８】
2004213291.tif 000030
【図２９】
2004213291.tif 000031
【図３０】
2004213291.tif 000032
【図３１】
2004213291.tif 000033
【図３２】
2004213291.tif 000034
【図３３】
2004213291.tif 000035
【図３４】
2004213291.tif 000036
【図３５】
2004213291.tif 000037
【図３６】
2004213291.tif 000038
【図３７】
2004213291.tif 000039
【図３８】
2004213291.tif 000040
【図３９】
2004213291.tif 000041
【手続補正書】
【提出日】平成15年2月10日(2003.2.10)
【手続補正１】
【補正対象書類名】明細書
【補正対象項目名】全文
【補正方法】変更
【補正の内容】
【特許請求の範囲】
【請求項１】道路標識等の道路標識台帳と照明灯等の道路施設電気台帳を管理するコンピューターと、本プログラムを保存した記録媒体のＣＤ−ＲＯＭ等であって、コンピューター内部の前記記憶装置には従来の道路標識台帳等の記載事項を保存したマスタメンテナンスファイルと、マスタメンテナンスファイルを構成する道路標識台帳ファイルと、道路施設電気台帳ファイルとからなり、道路施設電気台帳及び道路標識台帳の検索時に、記憶装置に保存した前記道路標識台帳ファイル及び道路施設電気台帳ファイルの各一覧をディスプレイ等に出力し、顧客情報や標識方向等で検索できる第１検索手段と第２検索手段を備え、道路標識台帳及び道路施設電気台帳の更新登録時に、メモリから出力した写真データ、画像データを各々出力し、前記写真データ、前記画像データを一括表示できる道路標識台帳ファイルの道路標識台帳画像写真指定と、道路施設電気台帳ファイルの道路施設電気台帳画像写真指定の各々に貼付し、再度記憶装置に保存する第１貼付手段と、第２貼付手段とを備えたことを特徴とする標識・照明灯管理システム。
【請求項２】第１検索手段は、本システムを構成する道路標識台帳の道路標識台帳検索の画面に、整理番号、直進、左、右の各方向で行先名称である標識方向を入力した後に、道路標識台帳のマスタメンテナンスファイルから道路標識台帳一覧を読み出しディスプレイに出力する手段であることを特徴とする請求項１に記載した標識・照明灯管理システム。
【請求項３】第２検索手段は、本システムを構成する道路施設電気台帳の道路施設電気台帳検索の画面に、整理番号、契約年月日、路線名を入力した後に、道路標識台帳のマスタメンテナンスファイルから道路標識台帳一覧を読み出しディスプレイに出力する手段であることを特徴とする請求項１又は請求項２に記載した標識・照明灯管理システム。
【請求項４】
道路標識台帳は、顧客情報を構成し、マスタメンテナンスファイルから読み出され路線名等を記載したテキストボックスと、同マスタメンテナンスファイルから読み出し、検索項目である直進方向等を記載した標識方向と、道路標識の設置時期である標識歴や標識板の材料、寸法等を記載した標識歴等と、登録更新ボタン、板面記載事項の表面／裏面ボタンと、道路標識の現状の画像データ、写真データ等を、本発明である道路標識台帳ファイルの一部に画像データ、写真データを貼付できる貼付実行ボタンを備えたことを特徴とする請求項１、請求項２又は請求項３に記載した標識・照明灯管理システム。
【発明の詳細な説明】
【０００１】
【発明が属する技術分野】
本発明は、各都道府県に存在する土木事務所や警察において、道路標識の設置工事の際使用する道路標識台帳と、照明灯等の設置工事際利用する道路施設電気台帳を管理し検索できる標識・照明灯管理システムに関する発明である。
【０００２】
【従来の技術】
従来、道路標識等の台帳管理は、手書き作成した書類台帳であり、前記書類台帳の正面または背面に対し、道路標識や照明灯を撮影したスチール写真を糊等で１枚づつ貼付し、ファイルボックス等の事務機器に収納し管理していた。各管理台帳は、以下詳細な説明において、道路標識等の台帳は道路標識台帳といい、前記道路標識に隣接して設置した照明灯等の台帳は道路施設電気台帳という。
【０００３】
また従来の書類台帳である道路標識台帳３２、３３は、図２１及び図２２に示したように、路線名、設置箇所等を記載した路線名等３２ａと現状写真等３２ｂとからなる台帳や、設計図となる構造図等を台帳に貼付した構造図等３３ａからなり、一方の従来の道路施設電気台帳４５、４６は、図３４及び図３５に示したように、路線名、設置場所、設置工事名、敷設名（１）照明灯路等からなる路線名等４５ａと設計図等を複数枚の用紙に貼付した構造概要図４５ｂの台帳や、設置個所の地図を台帳に貼付した位置図４６ａの台帳とからなり、道路標識等の設置工事の度毎に前記現状写真等が増加するために各台帳の数は膨大な量となっていた。
【０００４】
【発明が解決しようとする課題】
しかしながら、従来の道路標識の台帳管理方法では、道路標識の設置工事や照明灯の設置工事の際、当該要する台帳の検索が容易でなく、多大な時間と手間がかかるという問題を生じていた。
【０００５】
また、従来の道路標識管理方法は、大型コンピューターを使用するものであった。よって大型コンピューター等を導入するための設備コスト等がかかり、道路標識台帳及び道路施設電気台帳に記載された全ての記載情報を、大型コンピューター等に一つ一つ入力しなければならず、その入力処理に膨大な時間がかかるために大型コンピューターによる道路標識台帳と道路施設電気台帳の管理するシステムを導入することは利用者にとって極めて難しい問題であった。
【０００６】
そこで、本発明は、急遽発生した道路標識の設置工事等の際に、道路標識台帳及び道路施設電気台帳の検索に、多大な時間と手間がかかることなく、かかる道路標識台帳及び道路施設電気台帳の管理に、大型コンピューター等を設置する設備コストや、入力処理に膨大な時間がかからず、各台帳に貼付した写真を減少すると共に、各台帳を減少させる標識・照明灯管理システムを提供することを目的とする。
【０００７】
【課題を解決するための手段】
そこで、本発明である標識・照明灯管理システムは、上記の課題を解決するために、道路標識等の道路標識台帳と照明灯等の道路施設電気台帳を管理するコンピューターと、本プログラムを保存した記録媒体のＣＤ−ＲＯＭ等であって、コンピューター内部の前記記憶装置には従来の道路標識台帳等の記載事項を保存したマスタメンテナンスファイルと、マスタメンテナンスファイルを構成する道路標識台帳ファイルと、道路施設電気台帳ファイルとからなり、道路施設電気台帳及び道路標識台帳の検索時に、記憶装置に保存した前記道路標識台帳ファイル及び道路施設電気台帳ファイルの各一覧をディスプレイ等に出力し、顧客情報や標識方向等で検索できる第１検索手段と第２検索手段を備え、道路標識台帳及び道路施設電気台帳の更新登録時に、メモリから出力した写真データ、画像データを各々出力し、前記写真データ、前記画像データを一括表示できる道路標識台帳ファイルの道路標識台帳画像写真指定と、道路施設電気台帳ファイルの道路施設電気台帳画像写真指定の各々に貼付し、再度記憶装置に保存する第１貼付手段と、第２貼付手段とを備えたことを特徴とする標識・照明灯管理システムの構成とした。
【０００８】
【実施例】
以下添付図面に基づき、本発明である標識・照明灯管理システムの詳細を説明する。図１は、本発明である標識・照明灯管理システムの構成機器を示した構成図、図２は先の構成機器の接続を示した配線図である。
【０００９】
図１及び図２に示したように、本発明である標識・照明灯管理システムの構成機器は、道路標識等の道路標識台帳と照明灯等の道路施設電気台帳を管理するコンピューター２と、本プログラムを保存した記録媒体のＣＤ−ＲＯＭ等１ａであって、コンピューター２内部に設けた記憶装置７は従来の道路標識台帳等の記載事項を保存したマスタメンテナンスファイル７ａと、マスタメンテナンスファイル７ａを構成する道路標識台帳ファイル７ｂと、道路施設電気台帳ファイル７ｃとからなり、道路施設電気台帳及び道路標識台帳の検索時に、記憶装置７に保存した前記道路標識台帳ファイル７ｂ及び道路施設電気台帳ファイル７ｃの各一覧をディスプレイ８等に出力し、顧客情報や標識方向等で検索できる第１検索手段と第２検索手段を備え、道路標識台帳７ｂ及び道路施設電気台帳ファイル７ｃの更新登録時に、メモリ２ｂから出力した写真データ、画像データを各々出力し、前記写真データ、前記画像データを一括表示できる道路標識台帳ファイル７ｂの道路標識台帳画像写真指定２６と、道路施設電気台帳ファイル７ｃの道路施設電気台帳画像写真指定３９の各々に貼付し、再度記憶装置に保存する第１貼付手段と、第２貼付手段とを備えたことを特徴とする標識・照明灯管理システムとした。
【００１０】
前記コンピュータ２の内部には、検索時に一方向の標識方向から他の標識方向を演算する中央処理装置２ａと、本システムを保存するメモリ２ｂと、入力した道路標識台帳等を保存し、前記各ファイルを記録した記憶装置７とからなる。そして、前記コンピュータ２は、入力装置として、前記道路標識台帳の文字や道路標識等の写真を写真データ等として読み込むスキャナー５と、前記写真を撮影するデジタルカメラ６と、各台帳のキーワードである路線名等の文字情報を入力するキーボード３、マウス４を接続し、使用する。
【００１１】
記憶装置７は、道路標識台帳及び道路施設電気台帳の各マスタメンテナンスファイルを構成し、顧客情報等からなるマスタメンテナンスファイル７ａと、前記マスタメンテナンスファイル７ａの一部で道路標識と道路標識を設置した路線等のデータを保存した道路標識台帳ファイル７ｂと、同マスタメンテナンスファイル７ａの一部で照明灯と照明灯を設置した路線等のデータを保存した道路施設電気台帳ファイル７ｃとからなる。なお、前記記憶装置７は、ハードディスク等の記憶媒体である。
【００１２】
スキャナー５は、従来の書類台帳である道路標識台帳及び道路施設電気台帳の文字、前記各台帳に貼付した写真、工事図面、地図等を読み込み、中央処理装置２ａで文字データ、写真データ、画像データとして変換した後に前記メモリ２ｂに保存する装置である。一方、デジタルカメラ６は、前記各台帳を構成する道路標識や照明灯等の現状写真を撮影できる機器であり、撮影した写真データを中央処理装置２ａで写真データとして変換し、メモリ２ｂに保存する。
【００１３】
なお、前記記憶装置７を構成するマスタメンテナンスファイル７ａ、道路標識台帳ファイル７ｂ、道路施設電気台帳ファイル７ｃは、出力装置として、モニタ画面に出力するディスプレイ８と、レーザープリンターから紙へ出力する印刷装置９、光磁気ディスク等に記録する外部記録媒体１０を使用する。次に、図３で、本発明の拡張システム１１について詳細を説明する。
【００１４】
図３に示した本発明の拡張システム１１は、コンピュータ等の台数を増やし、構成機器を拡張することである。図３に示したように、本発明である標識・照明灯管理システムは、既存のコンピューター、若しくは、既存のＤＡＴＡサーバー１２を使用することができる。前記既存のＤＡＴＡサーバー１２は、デスクトップ型のパーソナルコンピューター等である。
【００１５】
本発明をインストールした既存のＤＡＴＡサーバー１２は、インターネット通信回線１２ａを利用し、複数のデスクトップコンピューター等からなるＤＡＴＡクライアント・エントリ１４と、遠隔地から操作できるノート型コンピューター及び携帯電話からなる顧客・モバイル環境１３と接続し、外部から本発明である前記ＤＡＴＡサーバー１２のマスタメンテナンスファイル７ａ、道路標識台帳ファイル７ｂ、道路施設電気台帳ファイル７ｃにアクセスすることができる。
【００１６】
顧客モバイル環境１３は、遠隔地で現状写真を取込み、各ファイルを作成するための環境である。顧客モバイル環境１３は、ノート型コンピューター及び、現状を撮影したデジタルカメラやカメラ付き携帯等を使用し、現場で道路標識台帳や道路施設電気台帳を構成する各ファイルを作成することができる。なお、顧客モバイル環境１３を構成するノート型コンピューター等は、インターネット通信回線１２ａを使用し、ＤＡＴＡサーバー１２等の各ファイルにアクセスし、変更することができる。
【００１７】
次に、図４及び図５で、本発明を構成する道路標識台帳及び道路施設電気台帳の各処理工程について詳細を説明する。図４は道路標識台帳の各処理工程１５を示した図であり、図５は道路施設電気台帳の各処理工程１６である。
【００１８】
図４及び図５に示したように、道路標識台帳の各処理工程１５、道路施設電気台帳の各処理工程１６は、顧客情報等を予め登録するために、本システムのスタートから始め、メインメニュー１５ａ、１６ａから、マスタメンテナンスの入力手段１７で入力を始める。マスタメンテナンスの入力手段１７で入力した顧客情報は、マスタメンテナンスファイル７ａに保存する。前記マスタメンテナンスの入力手段１７は図６に示す。
【００１９】
各台帳のマスタ登録等を行った後は、道路標識台帳一覧表示１５ｂと、道路施設電気台帳一覧表示１６ｂとなる。前記道路標識台帳一覧表示１５ｂ、道路施設電気台帳一覧表示１６ｂは、マスタメンテナンスの入力手段１７が終了した後の道路標識や照明灯等設置工事に伴い道路標識台帳及び道路施設電気台帳の検索や更新登録を行う際に表示する画面である。
【００２０】
そして、前記各一覧を表示した後は、図７及び図８に示したように、Ｂ：道路標識台帳の入力手段１８、Ｃ：道路標識台帳の入力手段１９となる。前記道路標識台帳の入力手段１８、道路施設電気台帳の入力手段１９が終了した後は、本発明の特徴である検索処理画面表示１５ｃ、１６ｃを行うことができる。前記検索処理画面表示１５ｃ、１６ｃは図１１、図２４に示す。
【００２１】
なお、前記図４及び図５に示したように、メインメニュー１５ａ、１６ａを表示した後は、検索処理工程１５ｄ、１６ｄ、印刷処理工程１５ｅ、１６ｅ、表示処理工程１５ｆ、１６ｆ、データ削除工程１５ｇ、１６ｇ、新規登録工程１５ｈ、１６ｈ、データ修正工程１５ｉ、１６ｉ、終了１５ｊ、１６ｊの各工程を速やかに行うことができる。
【００２２】
次に、図６で道路標識等の設置工事を行う前、即ち、顧客情報等を登録する前に行う前記マスタメンテナンスの入力手段１７を説明する。そして図７及び図８で、顧客情報等を登録した後、即ち、道路標識等の設置工事を行った後の更新に伴う道路標識台帳の入力手段１８、道路標識台帳の入力手段１９を説明する。
【００２３】
図６は、本発明を構成する道路標識台帳ファイル７ｂと道路施設電気台帳ファイル７ｃを構成するＡ：マスタメンテナンスの入力手段１７である。前記Ａ：マスタメンテナンスの入力手段１７は、路線名、設置個所、標識方向、灯具の形式等をマスタメンテナンスファイル７ａへ保存する手段である。
【００２４】
Ａ：マスタメンテナンスの入力手段１７の構成は、メインメニュー１７ａと、前記メインメニュー１７ａの画面からマスタメンテナンスを選択した後に表示するマスタメンテナンス画面表示１７ｂと、マスタメンテナンス画面表示１７ｂを行った後に表示する道路標識台帳ファイル７ｂと、道路施設電気台帳ファイル７ｃを構成する道路標識台帳又は道路施設電気台帳を選択、表示１７ｃとからなる。
【００２５】
前記メインメニュー１８ａ、１９ａの画面は、図９に示したメインメニュー２０である。そして前記メインメニュー２０は、道路標識台帳一覧／入力２０ａ、道路施設電気台帳  一覧／入力２０ｂ、マスタメンテナンス２０ｃ、終了２０ｄとからなることを特徴とする。そして、前記マスタメンテナンス画面表示１７ｂは、図３６に示したマスタメンテナンス４７画面を表示することである。前記マスタメンテナンス４７画面の詳細は図３６で説明する。
【００２６】
次に、図６に示したように、道路標識台帳又は道路施設電気台帳を選択、表示１７ｃした後に、道路標識台帳の場合１７ｄと、道路施設電気台帳の場合１７ｇの各マスタメンテナンスを行うことができる。
【００２７】
図６に示した前記道路標識台帳の場合１７ｄは、国道などの路線等である路線名の入力（新規登録・編集）１７ｅと、標識方向等の入力（新規登録・編集）１７ｆを行うことができる。
【００２８】
一方、図６に示した前記道路標識台帳の場合１７ｇは、前記道路標識台帳と同様に、国道などの路線等である路線名の入力（新規登録・編集）１７ｈと、前記国道に隣接し設置した灯具の形式等の入力（新規登録・編集）１７ｉを行うことができる。
【００２９】
よって、本発明である標識・照明灯管理システムでは、道路標識台帳の場合１７ｄ、道路施設電気台帳の場合１７ｇのマスタメンテナンスを経て、終了１７ｊとなり、本発明を構成するマスタメンテナンスファイル７ａに保存しＡ：マスタメンテナンスの入力手段１７を終了できる。次に、図７でＢ：道路標識台帳の入力手段１８、図８でＣ：路敷設電気台帳の入力手段１９を説明する。
【００３０】
図７に示した道路標識台帳の入力手段１８は、メモリ２ｂから出力したメインメニュー１８ａ画面表示と、メインメニュー１８ａ画面表示の中に記載した道路標識台帳を選択することができる道路標識台帳一覧表示１８ｂと、本システムの道路標識台帳に新たに写真データ等を追加するために前記道路標識台帳一覧表示１８ｂの下部に示した新規登録／データ修正ボタンを押す１８ｃと、道路標識台帳画面を表示１８ｄとからなり、前記道路標識台帳画面を表示１８ｄにおいて、道路標識の写真データ、画像データと文字データを読み込む板面記載事項の表面／裏面の表示１８ｅと、写真データ、画像データを貼付する貼付実行ボタンを押す１８ｆとからなり、メモリ２ｂからフレームで前記写真データ等を一括表示できる道路標識台帳の画像データ・写真データ指定を開く１８ｇと、参照ボタンを押しイメージファイルである画像データ、写真データを取り込む１８ｈと、前記道路標識台帳画像写真指定に貼付し、道路標識台帳の道路標識台帳の登録／更新ボタンを押す１８ｉと、終了１８ｊする。そして道路標識台帳ファイル７ｂに保存することを特徴とする。
【００３１】
一方、図８に示した道路施設電気台帳の入力手段１９は、メモリ２ｂから出力したメインメニュー１９ａ画面表示と、メインメニュー１９ａ画面表示の中に記載した道路施設電気台帳を選択する道路施設電気台帳一覧表示１９ｂと、本システムの道路施設電気台帳に新たに写真データ等を追加するために前記道路施設電気台帳一覧表示１９ｂの下部に示した新規登録／データ修正ボタンを押す１９ｃと、道路施設電気台帳画面の表示１９ｄとからなり、前記道路施設電気台帳画面の表示１９ｄにおいて、道路情報等の入力である敷設型の規格入力画面の表示１９ｅと、貼付実行ボタンを押す１９ｆとからなり、メモリ２ｂからフレームで前記写真データ等を一括表示できる道路施設電気台帳画像写真指定を開く１９ｇと、参照ボタンを押しイメージファイルである画像データ、写真データを取り込む１９ｈと、前記道路施設電気台帳画像、写真指定に貼付し、道路施設電気台帳の登録／更新ボタンを押す１９ｉと、終了１９ｊする。そして道路施設電気台帳ファイル７ｃに保存することを特徴とする。
【００３２】
次に、図１０から図２０で本発明である標識・照明灯管理システムの道路標識台帳で行うことができる第１検索手段及び第１貼付手段と、各画面である道路標識台帳一覧２１、道路標識台帳検索２２、道路標識台帳２３、道路標識台帳入力２４、道路標識台帳−板面記載事項２５、道路標識台帳画像写真指定２６説明する。
【００３３】
第１検索手段とは、本システムを構成する道路標識台帳の道路標識台帳検索の画面に、整理番号、直進、左、右の各方向で行先名称である標識方向を一部入力し、１方向の標識方向を入力することで、道路標識の板面に記載した他の２方向の行先名称を中央処理装置２ａで演算した後に、道路標識台帳のマスタメンテナンスファイル７ａから最適な道路標識台帳一覧２１を読み出しディスプレイ８に出力する手段である。
【００３４】
第１貼付手段とは、本システムを構成する道路標識台帳のマスタメンテナンスファイル７ａから、顧客情報をもとに道路標識台帳一覧２１を読み出し、新規登録  データ修正ボタン２１ｆのいずれかを押すことで、道路標識台帳入力２４を読み出し、前記道路標識台帳入力２４の画像・写真貼付である貼付実行ボタンを押し、前記写真データ等を一括表示できる道路標識台帳画像写真指定２６を読み出すと同時に、メモリ２ｂに保存した道路標識等の写真データ、画像データを読み出し、前記道路標識台帳画像写真指定２６に、前記道路標識等の写真データ等を貼付し、道路標識台帳ファイル７ｂに保存し、必要に応じてディスプレイ８に出力できる手段である。
【００３５】
図１０に示したように道路標識台帳一覧２１とは、本発明における道路標識台帳のインデックスである。道路標識台帳一覧２１の構成は、本システムを使用する使用者２１ａ、整理番号等からなる各項目２１ｂ、各ボタン２１ｃとからなる。また、前記各項目２１ｂは、整理番号、路線名、設置場所、設置工事名、工事番号、標識種別、標識番号、標識歴（年／月）とからなる。
【００３６】
次に図１０の中部に示した各項目２１ｂの詳細を説明する。前記整理番号とは、道路標識毎に管理するための番号、前記路線名とは、道路標識を取り付けた一般国道○○号のように路線の名称、設置場所とは、路線上の住所、設置工事名とは任意の名称、工事番号とは任意の数字、標識種別とは、１：案内のような種別、標識番号とは、任意の数字、前記標識歴とは、工事契約が締結した西暦及び日付である。
【００３７】
そして、各ボタン２１ｃは、検索、表示、印刷、データ削除、新規登録、データ修正、終了ボタンからなる。本発明の特徴で道路標識台帳の検索は、検索ボタン２１ｄを押すことから始め、前記検索ボタン２１ｄで検索した後、表示ボタン２１ｅを押すことで、当該道路標識台帳をディスプレイ８等に表示し、印刷することができる。また、道路標識台帳を新たに新規登録、データを修正する場合、前記新規登録、データ修正ボタン２１ｆを使用する。次に前記検索ボタン２１ｄを押して表示した道路標識台帳検索２２の画面を説明する。
【００３８】
図１１に示した道路標識台帳検索２２の画面は、整理番号２２ａ、標識歴（年／月）２２ｂと、路線名２２ｃと、標識方向２２ｄとからなることを特徴とする。本発明では、従来のように手書きの書類にはない、道路標識に記載した標識方向２２ｄを選択することで容易に検索できることを特徴とする。
【００３９】
前記標識方向２２ｄとは、直進方向、左方向、右方向等のそれぞれにおける行先名称である。具体的には、直進方向、左方向、右方向に対し、行先名称、即ち、直進方向：つくば（市）のように各方向に付属したコンボボックスの中から行先名称を自由に選択することができると共に、行先名称から所望する道路標識台帳を検索することができることを特徴とする。
【００４０】
なお、前記図１０の下部に示した表示ボタン２１ｅは、図１２に示した書類である前記道路標識台帳２３の拡大図をディスプレイ８等に表示できる。次に、図１３で前記検索画面に基づいて表示した道路標識台帳を説明する。
【００４１】
図１３に示した道路標識台帳入力２４は、顧客情報を構成し、マスタメンテナンスファイル７ａから読み出した路線名等を記載したテキストボックス２４ａと、同マスタメンテナンスファイル７ａから読み出し、検索項目である直進方向等を記載した標識方向２４ｂと、道路標識の設置時期である標識歴や標識板の材料、寸法等を記載した標識歴等２４ｃと、登録更新ボタン２４ｄ、板面記載事項の表面／裏面ボタン２４ｅと、道路標識の現状の画像データ、写真データ等を、本発明である道路標識台帳ファイルの一部に貼付できる貼付実行ボタン２４ｆとからなる事を特徴とする。
【００４２】
図１３に示した前記テキストボックス２４ａ及び標識方向２４ｂは、図６に示したマスタメンテナンスの入力手段１７で入力した項目である。なお、標識歴等２４ｃに記載した材料、寸法等は、本道路標識台帳入力２４で変更することができる。
【００４３】
よって図１３に示したように本発明を構成する道路標識台帳入力２４は、利用者が道路標識台帳の検索を行った後に、前記テキストボックス２４ａ、標識方向２４ｂの空白に、マスタメンテナンスファイル７ａから顧客情報、標識方向の文字を自動的に出力し、必要に応じて、標識歴等２４ｃである年月等を選択若しくは追加記入によって変更できるため、入力時の手間を省くことができる。次に、道路標識台帳−板面記載事項２５について説明する。
【００４４】
図１４に示したのは道路標識台帳−板面記載事項２５である。道路標識台帳−板面記載事項２５は、道路標識の画像データである表面２５ａと、裏面２５ｂとからなり、進行方向の文字情報のみならず、国道を示す数字等を記載した略ハート形等の形状を記録保存するためのファイルである。
【００４５】
そして、新たな道路標識台帳の改修工事に伴い、画像データ、写真データを追加貼付する場合、図１３の右部で、道路標識台帳−板面記載事項２４ｅの下部に示した貼付実行ボタン２４ｆを押し、写真を貼付するために図１５の道路標識台帳画像写真指定２６を表示する。
【００４６】
図１５に示した道路標識台帳画像写真指定２６は、現状写真２７等のフレームで、前記写真データ等を一括表示できる画面である。図１５の道路標識台帳画像写真指定２６に示したように、左から順に、現状写真２７、設置箇所略図（横断）２８、構造図２９、材料表３０、平面図３１とからなる。以下、図１６から図２０の添付図面に基づいて、現状写真２７、設置箇所略図（横断）２８、構造図２９、材料表３０、平面図３１の詳細を説明する。
【００４７】
図１６に示した現状写真２７とは、デジタルカメラ６等で、前記道路標識の正面及び周辺状況を撮影した写真データである。現状写真２７の下部に示したように、クリアボタン、参照ボタンで、本システムをインストールしたコンピューター２のメモリ２ｂから前記写真データを読み込み、前記道路標識台帳  画像写真指定２６の現状写真２７に保存する仕組みである。以下、図１７から図２０に示したクリアボタン、参照ボタンは同様の仕組みとする。また図１７から図２０に示した図は、道路標識台帳に貼付した写真等の画像データである。
【００４８】
図１７に示した前記設置箇所略図（横断）２８は、横断歩道の幅や、道路幅の長さなどを示した正面図の画像データ、図１８に示した構造図２９は、道路標識を設置するための支柱の全長、標識の長さ等を示した構造図２９の画像データ、図１９に示した材料表３０は、構造図２９を構成し道路標識を支える支柱の、種別、断面寸法、１個分重量等を示した材料表の画像データ、図２０は地図を示した平面図３１の画像データである。
【００４９】
よって本発明では、道路標識台帳に貼付した現状写真及び画像データを全てスキャナー５で読み込み、コンピューター２のメモリ２ｂに一端保存し、道路標識台帳  画像写真指定２６の必要に応じてメモリ２ｂから読み出し、映像写真を貼付した後に、道路標識台帳ファイル７ｂ内の前記道路標識台帳  画像写真指定２６へ保存する仕組みである。
【００５０】
次に、図２３から図３５で本発明である標識・照明灯管理システムの道路施設電気台帳で行うことができる第２検索手段及び第２貼付手段と、各画面である道路施設電気台帳一覧３４、道路施設電気台帳検索３５、道路標識台帳３６、道路施設電気台帳入力３７を説明する。
【００５１】
第２検索手段とは、本システムを構成する道路施設電気台帳の道路施設電気台帳検索の画面に、整理番号、契約年月日、路線名を入力し、中央処理装置２ａで整理番号等を演算した後に、道路標識台帳のマスタメンテナンスファイル７ａから最適な道路標識台帳一覧２１を読み出し、ディスプレイ８に出力する手段である。
【００５２】
第２貼付手段とは、本システムを構成する道路施設電気台帳のマスタメンテナンスファイル７ａから、顧客情報をもとに道路施設電気台帳一覧３４を読み出し、新規登録  データ修正ボタン３４ｄのいずれかを押すことで、道路施設電気台帳入力３７を読み出し、前記道路施設電気台帳入力３７の画像・写真貼付である貼付実行ボタン３７ｅを押し、道路施設電気台帳画像写真指定３９を読み出すと同時に、メモリ２ｂに保存した照明灯等の写真データ、画像データを読み出し、前記道路施設電気台帳画像写真指定３９に、前記照明灯等の写真データ等を貼付し、道路施設電気台帳ファイル７ｃに保存し、必要に応じてディスプレイ８に出力できる手段である。
【００５３】
図２３に示したように道路施設電気台帳一覧３４は、道路施設電気台帳のインデックスである。道路施設電気台帳一覧３４の構成は、検索項目である整理番号、契約年月日、路線名、設置場所、設置工事名、請負業者名を記載した各項目３４ａと、検索ボタン、表示ボタン、印刷、データ削除、新規登録、データ修正、終了の各ボタンを構成する各ボタン３４ｂとからなる。
【００５４】
そして、図２３に示した道路施設電気台帳一覧３４の各ボタン３４ｂを構成する検索ボタン３４ｃを押すことで、図２４の道路施設電気台帳の検索となる。また新規登録、データ修正ボタン３４ｄのいずれかを押すことで図２６に示した道路施設電気台帳３７となる。
【００５５】
図２４に示した道路施設電気台帳検索３５とは、前記道路標識台帳と異なった数字である整理番号３５ａと、西暦で表示した月日の契約年月日３５ｂと、路線名３５ｃとからなることを特徴とする道路施設電気台帳の検索画面である。
【００５６】
そして、図２４の下部の中央に示したように検索実行ボタン３５ｄを押すと、道路施設電気台帳ファイル７ｃから読み取り、前記図２３に示した道路施設電気台帳一覧３４に表示する仕組みである。なお、図２５に示した道路標識台帳３６は、書類である道路施設電気台帳の一部の拡大図である。次に、図２６に示した道路施設電気台帳入力３７を説明する。
【００５７】
図２６に示したように道路施設電気台帳入力３７は、左部に顧客情報を構成
し、マスタメンテナンスファイル７ａから読み出し、整理番号等からなるテキストボックス３７ａと、テキストボックスの下部に照明灯の設置方式等を記載した施設（１）３７ｂと、右部に登録・更新等ボタン３７ｃと、施設（２）のその他：道路情報板Ａ等と称した規格入力等ボタン３７ｄと、照明灯等の画像、写真データを貼付するための貼付実行ボタン３７ｅとからなる事を特徴とする道路施設電気台帳である。
【００５８】
前記テキストボックス３７ａは、整理番号、路線名、設置箇所、設置工事名、請負業者名、粁程、道路幅員、上下線別、契約（設置）年月、お客様番号、電力会社、契約種別等を記載し、マスタメンテナンスの道路施設電気台帳からなる。
【００５９】
施設（１）３７ｂは、照明灯の設置方式、照明施設名、照明方式、灯具形式、ランプの形式、安定器の種類、点滅器の種類、調光の有無、ポール形式、ポールの材質、設置状況等からなる。前記テキストボックス３７ａ又は、施設（１）３７ｂ等は選択若しくは追加記入によって変更できるため、入力時の手間を省くことができる。次に、前記規格入力等ボタン３７ｄと、貼付実行ボタン３７ｅを押す場合について、図２７及び図２８で説明する。
【００６０】
図２７に示した道路施設電気台帳  施設形式の規格入力（照明灯以外）３８は前記図２６に示した規格入力ボタン３７ｄを押した場合に表示する画面である。前記規格入力とは、文字情報である。前記文字情報とは、「照明灯以外の場合、その施設形式等の規格を記載する。」等のように注意事項を記載することである。
【００６１】
そして、新たな照明灯の改修工事に伴い、画像データ、写真データを追加貼付する場合、図２６の右下部に示した「貼付実行ボタン」３７ｅを押し、写真を貼付するための道路施設電気台帳画像写真指定３９を表示する。
【００６２】
図２８に示した道路施設電気台帳  画像写真指定３９は、構造概要図（見取図）等のフレームで、前記写真データ等を一括表示できる画面である。図２８の道路施設電気台帳  画像写真指定３９に示したように、左から順に、構造概要図（見取図）４０、設置略図（横断）４１、現状写真４２、位置図その１（１／５０，０００程度）４３、位置図その２（道路台帳１／５００または１／１，０００）４４とからなる。
【００６３】
以下、図２９から図３３の添付図面に基づいて、構造概要図（見取図）４０、設置略図（横断）４１、現状写真４２、位置図その１（１／５０，０００程度）４３、位置図その２（道路台帳１／５００または１／１，０００）４４の詳細を説明する。
【００６４】
図２９に示したのは照明灯の設置状況を示した構造概要図（見取図）４０の画像データ、図３０に示したのは、路肩や、道路幅を示した設置略図（横断）４１の画像データ、図３１に示したのは、照明灯の設置状況を示した現状写真４２で、前記現状写真４２は、デジタルカメラ６等で、前記道路標識の正面及び周辺状況を撮影した写真データである。
【００６５】
そして本発明の特徴は、図３２に示した１／５０，０００程度の尺度で照明灯等の設置場所を示した位置図その１（１／５０，０００）４３と、図３３に示した１／５００又は１／１，０００の尺度で照明灯等の設置場所を示した位置図その２（１／５００又は１／１，０００）４４で地図を画像データとしたことである。
【００６６】
よって本発明では、道路施設電気台帳に記載された文字データや貼付した現状写真等を画像データとしてスキャナー５で読み込むとともに、コンピューター２のメモリ２ｂに一端保存し、道路施設電気台帳  画像写真指定３９に応じて前記メモリ２ｂから写真データ、画像データを読み出し、各映像写真を貼付した後に、道路施設電気台帳ファイル７ｃ内の前記道路施設電気台帳  画像写真指定３９へ随時保存できる。
【００６７】
なお、図２９から図３３の下部に示したクリアボタン、参照ボタンは、図１５等で説明したクリアボタン、参照ボタンと同様とする。次に図３６で本発明を構成し、マスタメンテナンスファイル７ａ等を作成する前記マスタメンテナンス４７画面の詳細を説明する。
【００６８】
図３６に示したのは、マスタメンテナンス４７画面である。前記マスタメンテナンス４７画面は、複数の項目を設けた道路標識台帳４７ａと道路施設電気台帳４７ｂとからなる。
【００６９】
前記道路施設電気台帳４７ｂを構成する複数の項目は、路線名、設置場所等、上下線別、電力会社、灯具の形式、ランプの形式、安定器の種類、点滅器の種類、ポール形式、電源方式からなる。一方の前記道路標識台帳４７ａを構成する複数の項目は、路線名、設置箇所、標識方向、標識種別、標識番号、拡大率、標識板、支柱、基礎形式、システム使用者等からなる。
【００７０】
図３７に示したのは、道路標識台帳  路線マスタメンテナンス４８である。道路標識台帳  路線マスタメンテナンス４８は、路線名の「新規登録」４８ａと、既に新規登録済みの路線名の変更である「編集」４８ｂと、道路標識台帳の路線名４８ｃとからなる。
【００７１】
図３８に示したのは、本システムで図１１に示した道路標識台帳検索２２の時に必要となる標識方向マスタメンテナンス４９画面である。図３８に示したように、標識方向マスタメンテナンス４９は、左部に示した標識方向（直進）４９ａ、標識方向（左）４９ｂ、標識方向（右）４９ｃと、右部に示した「新規登録」４９ｄ、「編集」４９ｅとからなる。
【００７２】
前記標識方向マスタメンテナンス４９画面で「新規登録」を行うためには、右部の「新規登録」４９ｄボタンを押し、標識方向である地名を「ひらがな、漢字問わず」入力する。次に、入力が完了した後に左部の標識方向（直進）４９ａ、標識方向（左）４９ｂ、標識方向（右）４９ｃに表示することができる。
【００７３】
そして本発明では、図３８に示したように、道路標識台帳  標識方向マスタメンテナンスの右中部に示した「編集」４９ｅを行う場合、最初に入力した標識方向に合わせて、相対する標識方向の候補をマスタメンテナンスファイル７ａ等から複数呼び出すことができることを特徴とする。
【００７４】
なお、図３９に示したように、図３６から図３８に示した各マスタメンテナンスを行う際、使用者であるシステム使用者登録５０を行うことができる。
【００７５】
【発明の効果】
本発明は、以上に説明したような構成であるから以下の効果が得られる。
第１に、本発明である標識・照明灯管理システムは、道路標識の設置工事や照明灯の設置工事の際、膨大な書類からなる道路標識台帳、道路施設電気台帳を１冊、１冊検索をすることがないため、検索に多大な時間と手間がかからない。
【００７６】
第２に、本発明である標識・照明灯管理システムは、大型コンピューターを使用することがないため、道路標識台帳及び道路施設電気台帳に記載された全ての記載情報を、大型コンピューター等に一つ一つ入力することなく、その入力処理に膨大な時間がかからないため、極めて簡単にコンピューターに導入することができる。
【００７７】
第３に、本発明である標識・照明灯管理システムは、大型コンピューター等の導入を要することなく、コンピューターのディスプレイに表示した道路標識台帳一覧の検索ボタンを押すことで、当該表示した道路標識台帳検索画面から整理番号、標識歴（年／月）、路線名又は、標識方向のいずれかを入力し、従来の書類で作成した道路標識台帳を瞬時に表示し、必要に応じてプリンター等で当該道路標識台帳を出力することができる。
【００７８】
第４に、本発明である標識・照明灯管理システムは、更新の際の設置工事写真を減らすと共に、前記写真を貼付した書類である道路標識台帳及び道路施設電気台帳の台帳の数を大幅に減らすことができる。
【図面の簡単な説明】
【図１】本発明である標識・照明灯管理システムの構成機器を示した構成図である。
【図２】本発明である標識・照明灯管理システムの構成機器の接続を示した配線図である。
【図３】本発明である標識・照明灯管理システムの構成機器を拡張した拡張図である。
【図４】本発明である標識・照明灯管理システムを構成する道路標識台帳の各処理工程を示した処理工程図である。
【図５】本発明である標識・照明灯管理システムを構成する道路施設電気台帳の各処理工程を示した処理工程図である。
【図６】本発明である標識・照明灯管理システムを構成するマスタメンテナンスの入力手段を示したフローチャートである。
【図７】本発明である標識・照明灯管理システムを構成する道路標識台帳の入力手段を示したフローチャートである。
【図８】本発明である標識・照明灯管理システムを構成する道路施設電気台帳の入力手段を示したフローチャートである。
【図９】本発明である標識・照明灯管理システムを構成するメインメニューを示した画面である。
【図１０】本発明である標識・照明灯管理システムを構成する道路標識台帳一覧を示した画面である。
【図１１】本発明である標識・照明灯管理システムを構成する道路標識台帳検索を示した画面である。
【図１２】本発明である標識・照明灯管理システムを構成する道路標識台帳を示した拡大画面である。
【図１３】本発明である標識・照明灯管理システムを構成する道路標識台帳入力を示した画面である。
【図１４】本発明である標識・照明灯管理システムを構成する道路標識台帳の板面記載事項を示した画面である。
【図１５】本発明である標識・照明灯管理システムを構成する道標識台帳の画像データ、写真データ指定を示した画面である。
【図１６】本発明である標識・照明灯管理システムを構成する道路標識台帳の現状写真を示した画面である。
【図１７】本発明である標識・照明灯管理システムを構成する道路標識台帳の設置箇所略図（横断）である。
【図１８】本発明である標識・照明灯管理システムを構成する道路標識台帳の構造図である。
【図１９】本発明である標識・照明灯管理システムを構成する道路標識台帳で道路標識の支柱の材料を示した材料表画面である。
【図２０】本発明である標識・照明灯管理システムを構成する道路標識台帳で道路標識を設置箇所を示した平面図である。
【図２１】従来の道路標識台帳（表面）である。
【図２２】従来の道路標識台帳（裏面）である。
【図２３】本発明である標識・照明灯管理システムを構成する道路施設電気台帳一覧を示した画面である。
【図２４】本発明である標識・照明灯管理システムを構成する道路施設電気台帳検索を示した画面である。
【図２５】本発明である標識・照明灯管理システムを構成する道路施設電気台帳を示した拡大画面である。
【図２６】本発明である標識・照明灯管理システムを構成する道路施設電気台帳を示した画面である。
【図２７】本発明である標識・照明灯管理システムを構成する道路施設電気台帳の施設形式の規格入力（照明灯以外）を示した画面である。
【図２８】本発明である標識・照明灯管理システムを構成する道路施設電気台帳の画像データ、写真データ指定を示した画面である。
【図２９】本発明である標識・照明灯管理システムを構成する道路施設電気台帳の構造概要図（見取図）である。
【図３０】本発明である標識・照明灯管理システムを構成する道路施設電気台帳の設置略図（横断）である。
【図３１】本発明である標識・照明灯管理システムを構成する道路施設電気台帳の現状写真図である。
【図３２】本発明である標識・照明灯管理システムを構成する道路施設電気台帳の位置図その１（１／５０，０００程度）を示した画面である。
【図３３】本発明である標識・照明灯管理システムを構成する道路施設電気台帳の位置図その２（道路台帳１／５００または１／１，０００）を示した画面である。
【図３４】従来の道路施設電気台帳（表面）である。
【図３５】従来の道路施設電気台帳（裏面）である。
【図３６】本発明である標識・照明灯管理システムを構成するマスタメンテナンスを示した画面である。
【図３７】本発明である標識・照明灯管理システムを構成する道路標識台帳の路線マスタメンテナンスを示した画面である。
【図３８】本発明である標識・照明灯管理システムを構成する道路標識台帳の標識方向マスタメンテナンスを示した画面である。
【図３９】本発明である標識・照明灯管理システムを構成するマスタメンテナンスのシステム使用者登録を示した画面である。
【符号の説明】
１      標識・照明灯管理システム
１ａ    ＣＤ−ＲＯＭ等
２      コンピューター
２ａ    中央処理装置
２ｂ    メモリ
３      キーボード
４      マウス
５      スキャナー
６      デジタルカメラ
７      記憶装置
７ａ    マスタメンテナンスファイル
７ｂ    道路標識台帳ファイル
７ｃ    道路施設電気台帳ファイル
８      ディスプレイ
９      印刷装置
１０    外部記録媒体
１１    本発明の拡張システム
１２    ＤＡＴＡサーバー
１２ａ  インターネット通信回線
１３    顧客・モバイル環境
１４    ＤＡＴＡクライアント・エントリー
１５    道路標識台帳の各処理工程
１５ａ  メインメニュー
１５ｂ  道路標識台帳一覧表示
１５ｃ  検索処理画面表示
１５ｄ  検索処理工程
１５ｅ  印刷処理工程
１５ｆ  表示処理工程
１５ｇ  データ削除工程
１５ｈ  新規登録工程
１５ｉ  データ修正工程
１５ｊ  終了
１６    道路施設電気台帳の各処理工程
１６ａ  メインメニュー
１６ｂ  道路施設電気台帳一覧表示
１６ｃ  検索処理画面表示
１６ｄ  検索処理工程
１６ｅ  印刷処理工程
１６ｆ  表示処理工程
１６ｇ  データ削除工程
１６ｈ  新規登録工程
１６ｉ  データ修正工程
１６ｊ  終了
１７    マスタメンテナンスの入力手段
１７ａ  メインメニュー
１７ｂ  マスタメンテナンス画面表示
１７ｃ  道路標識台帳又は道路施設電気台帳を選択、表示
１７ｄ  道路標識台帳の場合
１７ｅ  路線名の入力（新規登録・編集）
１７ｆ  標識方向等の入力（新規登録・編集）
１７ｇ  道路施設電気台帳の場合
１７ｈ  路線名の入力（新規登録・編集）
１７ｉ  灯具の形式等の入力（新規登録・編集）
１７ｊ  終了
１８    道路標識台帳の入力手段
１８ａ  メインメニュー
１８ｂ  道路標識台帳一覧表示
１８ｃ  新規登録／データ修正ボタンを押す
１８ｄ  道路標識台帳画面を表示
１８ｅ  板面記載事項の表面／裏面の表示
１８ｆ  貼付実行ボタンを押す
１８ｇ  道路標識台帳の画像データ、写真データ指定を開く
１８ｈ  参照ボタンを押しイメージファイルである画像データ、写真データ
を取り込む
１８ｉ  道路標識台帳の登録／更新ボタンを押す
１８ｊ  終了
１９    道路施設電気台帳の入力手段
１９ａ  メインメニュー
１９ｂ  道路標識台帳一覧表示
１９ｃ  新規登録／データ修正ボタンを押す
１９ｄ  道路施設電気台帳画面の表示
１９ｅ  敷設型の規格入力画面の表示
１９ｆ  貼付実行ボタンを押す
１９ｇ  道路施設電気台帳の画像データ、写真データ指定を開く
１９ｈ  参照ボタンを押しイメージファイルである画像データ、写真データ
を取り込む
１９ｉ  道路施設電気台帳の登録／更新ボタンを押す
１９ｊ  終了
２０    メインメニュー
２０ａ  道路標識台帳  一覧／入力
２０ｂ  道路施設電気台帳  一覧／入力
２０ｃ  マスタメンテナンス
２０ｄ  終了
２１    道路標識台帳一覧
２１ａ  使用者
２１ｂ  各項目
２１ｃ  各ボタン
２１ｄ  検索ボタン
２１ｅ  表示ボタン
２１ｆ  新規登録、データ修正ボタン
２２    道路標識台帳検索
２２ａ  整理番号
２２ｂ  標識歴（年／月）
２２ｃ  路線名
２２ｄ  標識方向
２３    道路標識台帳
２４    道路標識台帳入力
２４ａ  テキストボックス
２４ｂ  標識方向
２４ｃ  標識歴等
２４ｄ  登録・更新等ボタン
２４ｅ  表面／裏面ボタン
２４ｆ  貼付実行ボタン
２５    道路標識台帳  板面記載事項
２５ａ  表面
２５ｂ  裏面
２６    道路標識台帳画像写真指定
２７    現状写真
２８    設置箇所略図（横断）
２９    構造図
３０    材料表
３１    平面図
３２    道路標識台帳
３２ａ  路線名等
３２ｂ  現状写真等
３３    道路標識台帳
３３ａ  構造図等
３４    道路施設電気台帳一覧
３４ａ  各項目
３４ｂ  各ボタン
３４ｃ  検索ボタン
３４ｄ  新規登録、データ修正ボタン
３５    道路施設電気台帳検索
３５ａ  整理番号
３５ｂ  契約年月日
３５ｃ  路線名
３５ｄ  検索実行
３６    道路施設電気台帳
３７    道路施設電気台帳入力
３７ａ  テキストボックス
３７ｂ  施設（１）
３７ｃ  登録・更新等ボタン
３７ｄ  規格入力等ボタン
３７ｅ  貼付実行ボタン
３８    道路施設電気台帳  施設形式の規格入力（照明灯以外）
３９    道路施設電気台帳画像写真指定
４０    構造概要図（見取図）
４１    設置略図（横断）
４２    現状写真
４３    位置図その１（１／５０，０００程度）
４４    位置図その２（道路台帳１／５００または１／１，０００）
４５    道路施設電気台帳
４５ａ  路線名等
４５ｂ  構造概要図
４６    道路施設電気台帳
４６ａ  位置図等
４７    マスタメンテナンス
４７ａ  道路標識台帳
４７ｂ  道路施設電気台帳
４８    道路標識台帳  路線マスタメンテナンス
４８ａ  新規登録
４８ｂ  編集
４８ｃ  路線名
４９    標識方向マスタメンテナンス
４９ａ  標識方向（直進）
４９ｂ  標識方向（左）
４９ｃ  標識方向（右）
４９ｄ  新規登録
４９ｅ  編集
５０    システム使用者登録


【手続補正３】
【補正対象書類名】図面
【補正対象項目名】図２８
【補正方法】変更
【補正の内容】
【図２８】
2004213291.tif 000042